(57)【要約】      （修正有）【課題】レンズの明るさと解像性能の双方を向上させることができる撮影レンズ及び撮像装置を提供する。【解決手段】物体側から順に、負のパワーの第１のレンズ１１１、正のパワーの第２のレンズ１１２、正のパワーの第３のレンズ１１３、負のパワーの第４のレンズ１１４、負のパワーの第５のレンズ１１５、正のパワーの第６のレンズ１１６、正のパワーの第７のレンズ１１７、を備える。第１のレンズの物体側の曲率半径をＲ１、第３のレンズの物体側の曲率半径をＲ６、第４のレンズの像面側の曲率半径をＲ８、第５のレンズの物体側の曲率半径をＲ９、第６のレンズの像面側の曲率半径をＲ１１、全系焦点距離をｆとしたとき、条件式（１）〜（５）を満足する。（１）−７．８９＜Ｒ１／ｆ＜−７．２７（２）３．４３＜Ｒ６／ｆ＜３．６０（３）−２．１６＜Ｒ８／ｆ＜−２．０９（４）−１．３４＜Ｒ９／ｆ＜−１．３０（５）−３．０７＜Ｒ１１／ｆ＜−２．９４【選択図】図１
2019095657.tif 000002
【特許請求の範囲】
【請求項１】
物体側から順に、
負のパワーを有する第１のレンズと、
正のパワーを有する第２のレンズと、
正のパワーを有する第３のレンズと、
負のパワーを有する第４のレンズと、
負のパワーを有する第５のレンズと、
正のパワーを有する第６のレンズと、
正のパワーを有する第７のレンズと、を備え、
前記第１のレンズの物体側の曲率半径をＲ１、前記第３のレンズの物体側の曲率半径をＲ６、前記第４のレンズの像面側の曲率半径をＲ８、前記第５のレンズの物体側の曲率半径をＲ９、前記第６のレンズの像面側の曲率半径をＲ１１、全系焦点距離をｆとしたとき、
下記条件式（１）〜（５）を満足する撮影レンズ。
（１）−７．８９＜Ｒ１／ｆ＜−７．２７  
（２）３．４３＜Ｒ６／ｆ＜３．６０
（３）−２．１６＜Ｒ８／ｆ＜−２．０９
（４）−１．３４＜Ｒ９／ｆ＜−１．３０
（５）−３．０７＜Ｒ１１／ｆ＜−２．９４
【請求項２】
前記第３のレンズと前記第４のレンズとは、接合されて、正のパワーを有する第１の接合レンズを形成し、前記第５のレンズと前記第６のレンズとは、接合されて、負のパワーを有する第２の接合レンズを形成する、
ことを特徴とする請求項１に記載の撮影レンズ。
【請求項３】
前記第１のレンズの物体側の面は、凹面である、
請求項１又は２に記載の撮影レンズ。
【請求項４】
前記第７のレンズは、非球面レンズである、
請求項１から３のいずれか１項に記載の撮影レンズ。
【請求項５】
前記第１のレンズ、前記第２のレンズ、前記第３のレンズ、前記第４のレンズ、前記第５のレンズ、前記第６のレンズ、及び前記第７のレンズは、ガラスレンズである、
請求項１から４のいずれか１項に記載の撮影レンズ。
【請求項６】
請求項１から５のいずれか１項に記載の撮影レンズと、前記撮影レンズを透過した光を電気信号に変換する撮像素子と、を備える、撮像装置。
【発明の詳細な説明】
【技術分野】
【０００１】
本発明は、撮影レンズ及び撮像装置に関する。
【背景技術】
【０００２】
車載カメラ、監視カメラ等に使用されるレンズは、大きい画角を必要とするとともに、屋外での使用を考慮して、明るいレンズであることが求められる。明るいレンズであるためには、Ｆ値を小さくする必要があるが、Ｆ値を小さくすると、画質が低下する。したがって、画質のよい明るいレンズが要望されている。この要望を達成するために、例えば、特許文献１に示すように、複数の非球面レンズないし、接合レンズを組み合わせることが、適用されている。
【先行技術文献】
【特許文献】
【０００３】
【特許文献１】特開２０１０−２４３７１１号公報
【発明の概要】
【発明が解決しようとする課題】
【０００４】
特許文献１に記載されたレンズのように、複数の非球面レンズを利用する場合には、設計に手間がかかりコストもかさむ。また、特許文献１に記載されたレンズでは、レンズの明るさ、及び解像性能を向上させることには、限界があった。
【０００５】
本発明は、上記実情に鑑みてなされたものであり、レンズの明るさと解像性能の双方を向上させることができる撮影レンズ及び撮像装置を提供することを目的とする。
【課題を解決するための手段】
【０００６】
上記目的を達成するため、本発明に係る撮影レンズは、
物体側から順に、
負のパワーを有する第１のレンズと、
正のパワーを有する第２のレンズと、
正のパワーを有する第３のレンズと、
負のパワーを有する第４のレンズと、
負のパワーを有する第５のレンズと、
正のパワーを有する第６のレンズと、
正のパワーを有する第７のレンズと、を備え、
前記第１のレンズの物体側の曲率半径をＲ１、前記第３のレンズの物体側の曲率半径をＲ６、前記第４のレンズの像面側の曲率半径をＲ８、前記第５のレンズの物体側の曲率半径をＲ９、前記第６のレンズの像面側の曲率半径をＲ１１、全系焦点距離をｆとしたとき、
下記条件式（１）〜（５）を満足する撮影レンズ。
（１）−７．８９＜Ｒ１／ｆ＜−７．２７  
（２）３．４３＜Ｒ６／ｆ＜３．６０
（３）−２．１６＜Ｒ８／ｆ＜−２．０９
（４）−１．３４＜Ｒ９／ｆ＜−１．３０
（５）−３．０７＜Ｒ１１／ｆ＜−２．９４
【０００７】
前記第３のレンズと前記第４のレンズとは、接合されて、正のパワーを有する第１の接合レンズを形成し、前記第５のレンズと前記第６のレンズとは、接合されて、負のパワーを有する第２の接合レンズを形成してもよい。
【０００８】
前記第１のレンズの物体側の面は、凹面であってもよい。
【０００９】
前記第７のレンズは、非球面レンズであってもよい。
【００１０】
前記第１のレンズ、前記第２のレンズ、前記第３のレンズ、前記第４のレンズ、前記第５のレンズ、前記第６のレンズ、及び前記第７のレンズは、ガラスレンズであってもよい。
【００１１】
本発明に係る撮像装置は、上記の撮影レンズと、前記撮影レンズを透過した光を電気信号に変換する撮像素子とを備える。
【発明の効果】
【００１２】
本発明によれば、レンズの明るさと解像性能の双方を向上させることができる撮影レンズ及び撮像装置を提供することができる。
【図面の簡単な説明】
【００１３】
【図１】実施の形態１に係る撮影レンズの構成を示す図である。
【図２】実施例１に係る撮影レンズの収差を示す図であり、（ａ）は球面収差、（ｂ）はコマ収差を示す。
【図３】実施例１に係る撮影レンズの収差を示す図であり、（ａ）は像面湾曲、（ｂ）は歪曲収差、（ｃ）は倍率色収差を示す。
【図４】実施例１に係る撮影レンズのＭＴＦ−像高特性を示す図である。
【図５】実施の形態２に係る撮影レンズの構成を示す図である。
【図６】実施例２に係る撮影レンズの収差を示す図であり、（ａ）は球面収差、（ｂ）はコマ収差を示す。
【図７】実施例２に係る撮影レンズの収差を示す図であり、（ａ）は像面湾曲、（ｂ）は歪曲収差、（ｃ）は倍率色収差を示す。
【図８】実施例２に係る撮影レンズのＭＴＦ−像高特性を示す図である。
【図９】実施の形態３に係る撮影レンズの構成を示す図である。
【図１０】実施例３に係る撮影レンズの収差を示す図であり、（ａ）は球面収差、（ｂ）はコマ収差を示す。
【図１１】実施例３に係る撮影レンズの収差を示す図であり、（ａ）は像面湾曲、（ｂ）は歪曲収差、（ｃ）は倍率色収差を示す。
【図１２】実施例３に係る撮影レンズのＭＴＦ−像高特性を示す図である。
【図１３】比較例１に係る撮影レンズのＭＴＦ−像高特性を示す図である。
【図１４】比較例２に係る撮影レンズのＭＴＦ−像高特性を示す図である。
【発明を実施するための形態】
【００１４】
以下、本発明の実施の形態の一例に係る撮影レンズについて、図面を参照して説明する。
【００１５】
（実施の形態１）
本実施の形態に係る撮影レンズは、撮像装置に組み込まれるレンズであり、図１に撮像装置１００を示す。撮像装置１００は、ユーザが対象物を撮影すると、その対象物の画像を示すデータを出力するユニットであって、対象物の画像を像面Ｐに結像するための撮影レンズ１１０を備える。
【００１６】
撮像装置１００は、図１に示すように、光軸Ｌに沿って撮影レンズ１１０の後方に、赤外線カットフィルタ、ローパスフィルタなどの光学フィルタ１２０と、ＣＣＤ（Charge Coupled Device）イメージセンサなどの撮像素子１３０とを備える。
【００１７】
撮像装置１００は、撮影レンズ１１０、光学フィルタ１２０、撮像素子１３０などの部品を固定する枠体（図示せず）をさらに備え、車載カメラ、監視カメラ等の光学機器に搭載される。像面Ｐは、撮像素子１３０の物体側の面に形成される。
【００１８】
このような撮像装置１００によれば、対象物の画像が、撮影レンズ１１０を通じて像面Ｐに形成され、対象物の画像を示す画像データが撮像素子１３０により生成された出力さえる。
【００１９】
撮影レンズ１１０は、物体側から順に、負のパワーを有する第１のレンズ１１１と、正のパワーを有する第２のレンズ１１２と、正のパワーを有する第３のレンズ１１３と、負のパワーを有する第４のレンズ１１４と、負のパワーを有する第５のレンズ１１５と、正のパワーを有する第６のレンズ１１６、正のパワーを有する第７のレンズ１１７と、を備える。また、第２のレンズ１１２と第３のレンズ１１３の間には、開口絞り１０１が配置され、第６のレンズ１１６と第７のレンズ１１７の間には、副絞り１０２が配置されている。
【００２０】
以下の説明では、第１のレンズ１１１、第２のレンズ１１２、開口絞り１０１、第３のレンズ１１３、第４のレンズ１１４、第５のレンズ１１５、第６のレンズ１１６、副絞り１０２、第７のレンズ１１７、光学フィルタ１２０及び像面Ｐが、光軸Ｌに沿って物体側から像面側に向けて配設されている構成において、図１に示すように、それぞれの面をＳｉ（ｉ＝１〜１５）、それぞれの面の曲率半径をＲｉ（ｉ＝１〜１５）で表す。また、Ｓ１〜Ｓ１５の呼称として、第１面〜第１５面という用語を適宜用いる。
【００２１】
第１のレンズ１１１は、物体側の面Ｓ１と像面側の面Ｓ２が、凹面である負のパワーを有するレンズであり、球面レンズである。本実施の形態では、物体側の面Ｓ１を凹面にすることで、画像の周縁部まで明るいレンズを提供できる。
【００２２】
第２のレンズ１１２は、物体側の面Ｓ３が凸面をなし、像面側の面Ｓ４が凹面をなす、メニスカスレンズであり、正のパワーを有する。面Ｓ３と面Ｓ４とは共に球面である。
【００２３】
第３のレンズ１１３は、物体側の面Ｓ６と像面側の面Ｓ７が凸面をなす、両面凸レンズであり、正のパワーを有する。面Ｓ６と面Ｓ７とは共に球面である。
【００２４】
第４のレンズ１１４は、物体側の面Ｓ７が凹面をなし像面側の面Ｓ８が凸面をなす、メニスカスレンズであり、負のパワーを有する。面Ｓ６と面Ｓ７とは共に球面である。
【００２５】
第３のレンズ１１３と、第４のレンズ１１４とは、対向する面に接着剤が塗布されて接合された第１の接合レンズ１１８を形成する。凸レンズである第３のレンズ１１３と凹レンズである第４のレンズ１１４とが組み合わせられることで、正と負の力で屈折を打ち消し、色収差と球面収差を補正する。また、凸レンズである第３のレンズ１１３に低分散光学ガラスであるクラウン系ガラスを使用し、凹レンズである第４のレンズ１１４に高分散光学ガラスであるフリント系ガラスを使用して、色ズレをキャンセルする色消しの効果を与える。
【００２６】
第５のレンズ１１５は、物体側の面Ｓ９と像面側の面Ｓ１０が凹面をなす両面凹レンズであり、負のパワーを有する。面Ｓ９と面Ｓ１０とは共に球面である。
【００２７】
第６のレンズ１１６は、物体側の面Ｓ１０が凸面と像面側の面Ｓ１１が凸面をなす両面凸レンズであり、正のパワーを有する。面Ｓ１０と面Ｓ１１とは共に球面である。第５のレンズ１１５と、第６のレンズ１１６とは、対向する面に接着剤が塗布されて接合された第２の接合レンズ１１９を形成する。第１の接合レンズ１１８と同様に、色収差及び球面収差を補正する。
【００２８】
第７のレンズ１１７は、物体側の面Ｓ１２と像面側の面Ｓ１３とが、凸面である両面凸レンズであり、正のパワーを有する。面Ｓ１２と面Ｓ１３とは、非球面である。非球面レンズは、例えば、光学ガラスのコアを高温で熱し、非球面の方でプレスして成形するガラスモールディングにより製造される。非球面レンズを用いることで、歪曲収差を補正することができ、追加のレンズを使用することがなく、レンズ系全体の大きさを小さくすることができる。
【００２９】
第１のレンズ１１１〜第７のレンズ１１７を、負、正、正、負、負、正、正の順番に並べる。第１のレンズ１１１で発生した負のパワーを、第２のレンズ１１２および第３のレンズ１１３の正のパワーで修正する。また、正のパワーの第３のレンズ１１３と負のパワーの第４のレンズ１１４で第１の接合レンズ１１８を形成し、負のパワーの第５のレンズ１１５と正のパワーの第６のレンズ１１６で第２の接合レンズ１１９を構成した。それぞれ正と負のレンズを使用することで、主に、色収差と球面収差を補正する。最後に、凸のパワーを発生させる第７のレンズ１１７を配置して、全体のバランスをとった配置とした。
【００３０】
開口絞り１０１は、第２のレンズ１１２と第３のレンズ１１３との間に配置され、面Ｓ５を備える。第６のレンズ１１６と第７のレンズ１１７の間には、副絞り１０２が配置され、不要な光をカットしている。副絞り１０２をこの位置に配置することにより、コマ収差及び像面湾曲を補正する。
【００３１】
光学フィルタ１２０は、ＩＲ（Infra）カットフィルタであり、入射する赤外光を反射または吸収することにより、赤外光を透過させない機能を有するフィルタである。ＩＲフィルタは、第７のレンズ１１７の背面に配置される。
【００３２】
本実施の形態の撮影レンズ１１０は、以下の条件式を満たすレンズである。
第１のレンズ１１１の物体側の曲率半径をＲ１、第３のレンズ１１３の物体側の曲率半径をＲ６、第４のレンズ１１４の像面側の曲率半径をＲ８、第５のレンズ１１５の物体側の曲率半径をＲ９、第６のレンズ１１６の像面側の曲率半径をＲ１１、全系の焦点距離をｆとしたとき、
（１）−７．８９＜Ｒ１／ｆ＜−７．２７  
（２）３．４３＜Ｒ６／ｆ＜３．６０
（３）−２．１６＜Ｒ８／ｆ＜−２．０９
（４）−１．３４＜Ｒ９／ｆ＜−１．３０
（５）−３．０７＜Ｒ１１／ｆ＜−２．９４
という条件式を満たす。
【００３３】
条件式（１）によれば、主点の位置を後方にずらすことができ、広角レンズで必要なレンズバックの長い撮像装置を提供できるとともに、画像の周囲まで明るいレンズを提供することができる。条件式（１）の上限値を超えると、第１の面（Ｓ１）の湾曲が大きくなり負のパワーが大きくなりすぎ、球面収差、歪曲収差の補正できない。下限値を超えると、充分な明るさを確保することができない。
【００３４】
条件式（２）によれば、色収差、球面収差、コマ収差を有効に補正することができる。条件式（２）の上限値を超えると、収差の補正が難しくなる。下限値を超えると、正のパワーが大きくなりすぎて、広角レンズの画角を確保できなり、像面湾曲の発生が大きくなる。
【００３５】
条件式（３）によれば、色収差、球面収差、コマ収差を有効に補正することができる。
条件式（３）の上限値を超えると、正のパワーが弱く、接合レンズとして正のパワーを確保できない。下限値を超えると、収差を有効に補正することができない。
【００３６】
条件式（４）によれば、色収差、球面収差、コマ収差を有効に補正することができる。
条件式（４）の上限値を超えると、収差の補正が難しくなるとともに、広角レンズの画角を確保できない。下限値を超えると、負のパワーが大きくなりすぎて、第１の接合レンズの合計のパワー値が負となり、第１のレンズ１１１で発生した負のパワーを、徐々に正のパワーへと修正することが困難となる。
【００３７】
条件式（５）によれば、色収差、球面収差、コマ収差を有効に補正することができる。
条件式（５）の上限値を超えると、負のパワーが大きくなり、第１のレンズ１１１の負のパワーを押さえて、収差を補正することが難しくなる。また、第２の接合レンズ１１９として、正のパワーを発生することができない。下限を超えると、正のパワーが大きくなり、広角レンズの画角を確保できない。
【００３８】
本実施の形態に係る撮影レンズ１１０は、正射影方式を採用したレンズである。正射影方式のレンズは、ｙ＝ｆ・ｓｉｎθの関係がある。撮影画像の中心と周辺で明るさが一様であるため、周辺光量の低下が生じず、明るいレンズを提供することができる。
【００３９】
また、正射影方式を採用したレンズで撮影された画像は、中央部が大きく拡大された像となる。したがって、例えば、車載用のレンズとして、本実施の形態の撮影レンズ１１０を採用した場合には、中央部付近の画像の撮像素子での検知能力を向上させることができ、カーナビゲーションでの遠距離の視認能力を向上させることができる。
【００４０】
第１のレンズ１１１〜第７のレンズ１１７は、全てガラスで製造されている。したがって温度変化により屈折率に影響を与えることなく、耐久性にも優れる。特に、屋外で使用する車載用カメラのレンズ、監視用カメラのレンズに好適である。
【００４１】
（実施例１）
本実施の形態に対応する数値実施例である実施例１における、撮影レンズ１１０の面データ、非球面データ、各種データ、パワー値を以下に示す。
【００４２】
（面データ）
単位mm
面番号            ｒ              ｄ            ｎｄ            ｖｄ
物面              ∞              ∞
１             -40.401            1.20        1.80399           46.53
２               5.043           2.970      
３              14.094           1.623        2.00272           19.32
４             114.096           1.811
５（絞り）       ∞              0.065
６              18.850           2.819        1.83481           42.74
７              -5.740           0.500        1.76182           26.52
８             -11.369           1.765 
９              -7.044           0.700        1.92286           18.90
１０            16.081           2.496        1.82080           32.32
１１          - 16.081           0.200 
１２＊          16.406           2.496        1.82080           42.71
１３＊        - 16.873           0.600
１４(フィルタ)   ∞              0.8         15.1680            64.20
１５             ∞              6.756
像面             ∞
【００４３】
面データにおいて、「＊（アスタリスク）」を付して示した面番号のレンズ面が非球面である。撮影レンズ１１０の第７のレンズ１１７の物体側の面である第１２面（Ｓ１２）と像側の面である第１３面（Ｓ１３）とが非球面である。
【００４４】
非球面レンズの特性は、以下の式により示される。
Ｚ＝Ｃｙ２／［１＋（１−（１＋ＫＣ２ｙ２）１／２］＋Ａ４ｙ４＋Ａ６ｙ６＋Ａ８ｙ６＋Ａ１０ｙ１０
ここで、Ｚはサグ量（レンズの光軸に平行な方向に対する量）、ｙは光軸からの距離（ラジアル方向）、Ｃは非球面の頂点における曲率（１／Ｒ）、ｋは円錐常数、Ａ４、Ａ６、Ａ８、Ａ１０は、４次、６次、８次、１０次の非球面係数を表す。
【００４５】
（非球面データ）
第１２面と第１３面の非球面データは、以下の通りである。
第１２面
K=-0.030128858, A4=1.15309E-04, A6=3.45231E-06, A8=-9.45677E-09, A10=-7.61025E-10
第１３面
K=0.11071436, A4=5.51429-E04, A6=-7.39657E-07, A8=2.90565E-07, A10=-9.93471E-09, A12=8.78794E-11
【００４６】
（各種データ）
Ｆ値＝１．６、最大増高＝４．３２ｍｍ、半画角（ω）＝５２°、全系焦点距離＝５．３５１ｍｍ、バックフォーカス（ＢＦ）＝８．１６ｍｍ、レンズ全長（ＴＬ）＝２６．６６ｍｍ、開口絞りの直径＝５．９ｍｍ
【００４７】
（パワー値）
第１のレンズ１１１＝−０．１８１、第２のレンズ１１２＝０．０６３、第３のレンズ１１３＝０．０５６、第４のレンズ１１４＝０．０７９、第１の接合レンズ１１８＝０．１２、第５のレンズ１１５＝−０．１２９、第６のレンズ１１６＝０．０６１、第２の接合レンズ１１９＝−０．０５８、第７のレンズ１１７＝０．０９５
【００４８】
撮影レンズ１１０の条件式（１）〜（５）の値は、条件式（１）＝−７．５５、条件式（２）＝３．５２、条件式（３）＝−２．１２、条件式（４）＝−１．３２、条件式（５）＝３．０１となり、条件式（１）〜（５）を満たす。
【００４９】
条件式（１）〜（５）を満たす撮影レンズ１１０は、球面収差、コマ収差、像面湾曲、倍率色収差を抑制することができる。
【００５０】
図２（ａ）は、球面収差を示し、図２（ｂ）は、コマ収差を示し、図３（ａ）は像面湾曲を示し、図３（ｂ）は、歪曲収差を示し、図３（ｃ）は、倍率色収差を示し、図４が撮影レンズのＭＴＦ特性を示すグラフである。
【００５１】
図２（ａ）の球面収差を示すグラフは、横軸が球面収差[ｍｍ］を示し、縦軸が撮影レンズ１１０に入射する光線の入射高さを示す。実線がｇ線、二点破線がｃ線、長い破線がｄ線、短い破線がＦ線、一点破線がｅ線を示す。グラフの表記は、図２（ｂ）、図３（ｃ）においても同様である。ｇ線は０．４３６μｍ、Ｆ線は０．４８６μｍ、ｅ線は０．５４６μｍ、ｄ線は０．５８８μｍ、ｃ線は０．６５６μｍの波長を示す。全ての波長において、０．０４ｍｍ以下であり、良好に球面収差が補正されている。
【００５２】
図２（ｂ）のコマ収差を示すフラグは、撮影レンズ１１０に入射する画角が０．００［ｄｅｇ］、２６．００［ｄｅｇ］、４１．６０［ｄｅｇ］、５２．００［ｄｅｇ］の場合のそれぞれのコマ収差を示す。横軸が撮影レンズ１１０に入射する入射高を示し、縦軸が横収差（μｍ）を示す。図２（ｂ）では、上述の４つの画角におけるｇ線、Ｆ線、ｅ線、ｄ線、ｃ線の波長における、横収差曲線を示す。横収差量の最大スケールの値は±２０μｍである。図４の各図において、２つ並んだ横収差図の左側の図の横軸が、ｙ方向の相対瞳高さｙ（ｅｙ）を表し、右側の横軸がｘ方向の相対瞳高さｘ（ｅｘ）を表している。
【００５３】
図３（ａ）は、ｇ線、Ｆ線、ｅ線、ｄ線、ｃ線の波長における、タンジェンシャル面（Ｔ）と、サジタル面（Ｓ）における像面湾曲線を示す。ここで、タンジェンシャル面（またはメリディオナル面）とは、光軸と主光軸を含む平面のことであり、サジタル面とは、主光線を含み、タンジェンシャル面に垂直な平面をいう。図３（ａ）の縦軸は、Ｙ方向（像高の方向）の視野角の範囲を示し、横軸は、理想的な平面像面からの光軸方向への焦点のずれ量（ｍｍ）を示す。図中、Ｔ（ｇ）〜Ｔ（ｅ）は、上記の５つの波長のタンジェンシャル面での像面湾曲を示し、Ｓ（ｇ）〜Ｓ（ｅ）は、上記の５つの波長のサジタル面での像面湾曲を示す。焦点のずれ量は、±０．０５ｍｍ以下であり、良好な値を示している。
【００５４】
図３（ｂ）の歪曲収差を示すグラフは、縦軸に実像高（Ｙ）を、横軸にｃ線の歪曲収差のパーセントを示す。本実施例では、−２０％以下という低い値を示す。
【００５５】
図３（ｃ）は、ｄ線を基準とした倍率色収差を示すグラフである。縦軸は、像高を示し、最大視野は５２度である。横軸は、基準波長のｄ線からのずれ量を示す。基準波長以外の波長のずれ量は、許容量である±１．５μｍをほぼ満たす値となっている。
【００５６】
図４に示すＭＴＦ特性のグラフは、縦軸にＭＴＦ値と、横軸に示した像高との関係を示す図である。ＭＴＦとは、像面を光軸方向に移動させていったときの、像面に形成される像のコントラスト変化を示す指標である。ＭＴＦ値が大きいほど、像面に形成された像が、高い解像力に結像されていると判断される。
【００５７】
図４では、空中周波数を６０本／ｍｍで固定し、この空間周波数における像高に対する、サジタル面（Ｓ１）に平行な方向とタンジェンシャル面（Ｔ１）に平行な方向のＭＴＦ値を示す。ＭＴＦ値は、許容値である０．４（４０％）を超えており、高い解像度を示している。また、中心から周辺までの解像度の差は、２０％程度であり、像面全体に均一な解像度を示している。
【００５８】
（実施の形態２）
本発明の実施の形態２に係る撮像装置２００の構成を図５に示す。同図に示すように、撮像装置２００は、実施の形態１の撮影レンズ１１０に代えて、撮影レンズ２１０を備える。撮影レンズ２１０は、撮影レンズ１１０の第１のレンズ１１１に代えて、第１のレンズ２１１を備える。このレンズを除いて、実施の形態２の撮像装置２００は、実施の形態１の撮像装置１００と同様な構成を備える。
【００５９】
第１のレンズ２１１の物体側の曲率半径は、第１のレンズ１１１の物体側の曲率半径よりも大きく形成されている。
【００６０】
（実施例２）
本実施の形態に対応する実施例２における、撮影レンズ２１０の具体的な数値として、面データ、非球面データ、各種データ、パワー値を以下に示す。
【００６１】
（面データ）
単位mm
面番号            ｒ             ｄ            ｎｄ            ｖｄ
物面              ∞             ∞
１             -42.222           1.20         1.80399           46.53
２               5.043           2.970      
３              14.094           1.623        2.00272           19.32
４             114.096           1.811
５（絞り）       ∞              0.065
６              18.850           2.819        1.83481           42.74
７              -5.740           0.500        1.76182           26.52
８             -11.369           1.765 
９              -7.044           0.700        1.92286           18.90
１０            16.081           2.496        1.82080           32.32
１１          - 16.081           0.200 
１２＊          16.406           2.496        1.82080           42.71
１３＊        - 16.873           0.600
１４(フィルタ)   ∞              0.8         15.1680            64.20
１５             ∞              6.756
像面             ∞
【００６２】
面データにおいて、「＊（アスタリスク）」を付して示した面番号のレンズ面が非球面である。撮影レンズ２１０の第７のレンズ１１７の物体側の面である第１２面（Ｓ１２）と像側の面である第１３面（Ｓ１３）とが非球面である。
【００６３】
（非球面データ）
第１２面と第１３面の非球面データは、以下の通りである。
第１２面
K=-0.030128858, A4=1.15309E-04, A6=3.45231E-06, A8=-9.45677E-09, A10=-7.61025E-10
第１３面
K=0.11071436, A4=5.51429-E04, A6=-7.39657E-07, A8=2.90565E-07, A10=-9.93471E-09, A12=8.78794E-11
【００６４】
（各種データ）
Ｆ値＝１．６、最大増高＝４．３２ｍｍ、半画角（ω）＝５２°、全系焦点距離＝５．３６２ｍｍ、バックフォーカス（ＢＦ）＝８．１６ｍｍ、レンズ全長（ＴＬ）＝２６．６６ｍｍ、開口絞りの直径＝５．９ｍｍ
【００６５】
（パワー値）
第１のレンズ２１１＝−０．１８１、第２のレンズ１１２＝０．０６３、第３のレンズ１１３＝０．０５６、第４のレンズ１１４＝０．０７９、第１の接合レンズ１１８＝０．１２０、第５のレンズ１１５＝−０．１２９、第６のレンズ１１６＝０．０６１、第２の接合レンズ１１９＝−０．０５８、第７のレンズ１１７＝０．０９５
【００６６】
撮影レンズ２１０の条件式（１）〜（５）の値は、条件式（１）＝−７．８７、条件式（２）＝３．５１、条件式（３）＝−２．１２、条件式（４）＝−１．３１、条件式（５）＝３．００となり、条件式（１）〜（５）を満たす。
【００６７】
図６（ａ）は、球面収差を示し、図６（ｂ）は、コマ収差を示し、図７（ａ）は像面湾曲を示し、図７（ｂ）は、歪曲収差を示し、図７（ｃ）は、倍率色収差を示し、図８が撮影レンズのＭＴＦ特性を示すグラフである。
【００６８】
図６（ａ）の球面収差を示すグラフにおいて、全ての周波数において、０．０４ｍｍ以下であり、良好な球面収差の補正がされている。図６（ｂ）のコマ収差も適切に補正されている。
【００６９】
図７（ａ）の像面湾曲を示すグラフにおいて、焦点のずれ量は、±０．０５ｍｍ以下であり、良好な値を示している。図７（ｂ）の歪曲収差を示すグラフは、歪曲収差は、−２０％以下という低い値を示す。図７（ｃ）の倍率色収差は、許容量である±１．５μｍをほぼ満たす値となっている。
【００７０】
図８に示すＭＴＦ値は、許容値である０．４（４０％）を超えており、高い解像度を示している。また、中心から周辺までの解像度の差は、１５％以内であり、像面全体に均一な解像度を示している。
【００７１】
（実施の形態３）
本発明の実施の形態３に係る撮像装置３００の構成を図９に示す。同図に示すように、撮像装置３００は、実施の形態１の撮影レンズ１１０に代えて、撮影レンズ３１０を備える。撮影レンズ３１０は、撮影レンズ１１０の第３のレンズ１１３に代えて、第３のレンズ３１３を備える。このレンズを除いて、実施の形態３の撮像装置３００は、実施の形態１の撮像装置１００と同様な構成を備える。
【００７２】
第３のレンズ３１３の物体側の曲率半径は、第３のレンズ１１３の物体側の曲率半径よりも大きく形成されている。
【００７３】
（実施例３）
実施例３は、撮影レンズ１１０の水平画角を７７度に設定した場合の例である。撮影レンズ３１０の具体的な数値として、仕様諸元、面データ、パワー配置を以下に示す。
【００７４】
本実施の形態に対応する実施例３における、撮影レンズ３１０の具体的な数値として、面データ、非球面データ、各種データ、パワー値を以下に示す。
【００７５】
（面データ）
単位mm
面番号            ｒ             ｄ            ｎｄ            ｖｄ
物面              ∞             ∞
１             -40.401           1.20         1.80399           46.53
２               5.043           2.970      
３              14.094           1.623        2.00272           19.32
４             114.096           1.811
５（絞り）       ∞              0.065
６              19.25            2.819        1.83481           42.74
７              -5.740           0.500        1.76182           26.52
８             -11.369           1.765 
９              -7.044           0.700        1.92286           18.90
１０            16.081           2.496        1.82080           32.32
１１          - 16.081           0.200 
１２＊          16.406           2.496        1.82080           42.71
１３＊        - 16.873           0.600
１４(フィルタ)   ∞              0.8         15.1680            64.20
１５             ∞              6.756
像面             ∞
【００７６】
面データにおいて、「＊（アスタリスク）」を付して示した面番号のレンズ面が非球面である。撮影レンズ3１０の第７のレンズ１１７の物体側の面である第１２面（Ｓ１２）と像側の面である第１３面（Ｓ１３）とが非球面である。
【００７７】
（非球面データ）
第１２面と第１３面の非球面データは、以下の通りである。
第１２面
K=-0.030128858, A4=1.15309E-04, A6=3.45231E-06, A8=-9.45677E-09, A10=-7.61025E-10
第１３面
K=0.11071436, A4=5.51429-E04, A6=-7.39657E-07, A8=2.90565E-07, A10=-9.93471E-09, A12=8.78794E-11
【００７８】
（各種データ）
Ｆ値＝１．６、最大増高＝４．３２ｍｍ、半画角（ω）＝３８．５°、全系焦点距離＝５．３６９ｍｍ、バックフォーカス（ＢＦ）＝８．２６ｍｍ、レンズ全長（ＴＬ）＝２６．７６ｍｍ、開口絞りの直径＝５．９ｍｍ
【００７９】
（パワー値）
第１のレンズ１１１＝−０．１８１、第２のレンズ１１２＝０．０６３、第３のレンズ３１３＝０．０５５、第４のレンズ１１４＝０．０７９、第１の接合レンズ１１８＝０．１１７、第５のレンズ１１５＝−０．１２９、第６のレンズ１１６＝０．０６１、第２の接合レンズ１１９＝−０．０５８、第７のレンズ１１７＝０．０９５
【００８０】
撮影レンズ３１０の条件式（１）〜（５）の値は、条件式（１）＝−７．５２、条件式（２）＝３．５８、条件式（３）＝−２．１２、条件式（４）＝−１．３１、条件式（５）＝２．９９となり、条件式（１）〜（５）を満たす。
【００８１】
図１０（ａ）は、球面収差を示し、図１０（ｂ）は、コマ収差を示し、図１１（ａ）は像面湾曲を示し、図１１（ｂ）は、歪曲収差を示し、図１１（ｃ）は、倍率色収差を示し、図１２が撮影レンズのＭＴＦ特性を示すグラフである。
【００８２】
図１０（ａ）の球面収差を示すグラフにおいて、全ての周波数において、０．０４ｍｍ以下であり、良好な球面収差の補正がされている。図１０（ｂ）のコマ収差も適切に補正されている。
【００８３】
図１１（ａ）の像面湾曲を示すグラフにおいて、焦点のずれ量は、±０．０５ｍｍ以下であり、良好な値を示している。図１１（ｂ）の歪曲収差を示すグラフは、歪曲収差は、−２０％以下という低い値を示す。図１１（ｃ）の倍率色収差は、許容量である±１．５μｍをほぼ満たす値となっている。
【００８４】
図１２に示すＭＴＦ値は、許容値である０．４（４０％）を超えており、高い解像度を示している。また、中心から周辺までの解像度の差は、２０％程度であり、像面全体に均一な解像度を示している。
【００８５】
本発明の規定する条件式の範囲外となるレンズについて、比較例１、比較例２とし説明する。
（比較例１）
比較例１のレンズ構成は、実施の形態１と同一である。比較例１は、実施の形態１の第１のレンズ１１１の物体側の曲率半径と像面側の曲率半径と、を変更した例である。特に、第１のレンズの物体面側のレンズ面を凸面としたことに特徴がある。レンズ断面図については、図示しない。
【００８６】
比較例１の数値実施例は、以下の通りである。
（面データ）
単位mm
面番号            ｒ            ｄ            ｎｄ            ｖｄ
物面              ∞            ∞
１             200.000           1.20         1.80399           46.53
２               4.323           2.970      
３              14.094           1.623        2.00272           19.32
４             114.096           1.811
５（絞り）       ∞              0.065
６              18.850           2.819        1.83481           42.74
７              -5.740           0.500        1.76182           26.52
８             -11.369           1.765 
９              -7.044           0.700        1.92286           18.90
１０            16.081           2.496        1.82080           32.32
１１          - 16.081           0.200 
１２＊          16.406           2.496        1.82080           42.71
１３＊        - 16.873           0.600
１４(フィルタ)   ∞              0.8         15.1680            64.20
１５             ∞              6.756
像面             ∞
【００８７】
面データにおいて、「＊（アスタリスク）」を付して示した面番号のレンズ面が非球面である。撮影レンズ１１０の第７のレンズ１１７の物体側の面である第１２面（Ｓ１２）と像側の面である第１３面（Ｓ１３）とが非球面である。
【００８８】
（非球面データ）
第１２面と第１３面の非球面データは、以下の通りである。
第１２面
K=-0.030128858, A4=1.15309E-04, A6=3.45231E-06, A8=-9.45677E-09, A10=-7.61025E-10
第１３面
K=0.11071436, A4=5.51429-E04, A6=-7.39657E-07, A8=2.90565E-07, A10=-9.93471E-09, A12=8.78794E-11
【００８９】
（各種データ）
Ｆ値＝１．６、最大増高＝４．３２ｍｍ、半画角（ω）＝４８°、全系焦点距離＝５．４１０ｍｍ、バックフォーカス（ＢＦ）＝８．３０ｍｍ、レンズ全長（ＴＬ）＝２６．８０ｍｍ、開口絞りの直径＝５．９ｍｍ
【００９０】
（パワー値）
第１のレンズ＝−０．１８１、第２のレンズ＝０．０６３、第３のレンズ＝０．０５６、第４のレンズ＝０．０７９、第１の接合レンズ＝０．１２０、第５のレンズ＝−０．１２９、第６のレンズ＝０．０６１、第２の接合レンズ＝−０．０５８、第７のレンズ＝０．０９５
【００９１】
撮影レンズの条件式（１）〜（５）の値は、条件式（１）＝３６．９７、条件式（２）＝３．４８、条件式（３）＝−２．１９、条件式（４）＝−１．３０、条件式（５）＝２．９７となり、条件式（２）〜（５）は満たすが、条件式（１）（４）は満たさない。
【００９２】
このような数値特性を備える撮影レンズのＭＴＦ特性のブラフを、図１３に示す。図１３に示すように、タンジェンタル方向のＭＴＦ値も、サージタル方向のＭＴＦ値も、いずれも０．４を下回り、撮影解像度が低いことを示している。
【００９３】
（比較例２）
比較例２のレンズ構成は、実施の形態１と同一である。比較例２は、実施の形態１の第５のレンズ１１５の像面側の曲率半径が、相違する例である。
【００９４】
比較例２の数値実施例は、以下の通りである。
（面データ）
単位mm
面番号            ｒ            ｄ            ｎｄ            ｖｄ
物面              ∞            ∞
１             -40.401           1.20         1.80399           46.53
２               5.043           2.970      
３              14.094           1.623        2.00272           19.32
４             114.096           1.811
５（絞り）       ∞              0.065
６              18.850           2.819        1.83481           42.74
７              -5.740           0.500        1.76182           26.52
８             -11.369           1.765 
９              -7.300           0.700        1.92286           18.90
１０            16.081           2.496        1.82080           32.32
１１          - 16.081           0.200 
１２＊          16.406           2.496        1.82080           42.71
１３＊        - 16.873           0.600
１４(フィルタ)   ∞              0.8         15.1680            64.20
１５             ∞              6.756
像面             ∞
【００９５】
面データにおいて、「＊（アスタリスク）」を付して示した面番号のレンズ面が非球面である。撮影レンズ１１０の第７のレンズ１１７の物体側の面である第１２面（Ｓ１２）と像側の面である第１３面（Ｓ１３）とが非球面である。
【００９６】
（非球面データ）
第１２面と第１３面の非球面データは、以下の通りである。
第１２面
K=-0.030128858, A4=1.15309E-04, A6=3.45231E-06, A8=-9.45677E-09, A10=-7.61025E-10
第１３面
K=0.11071436, A4=5.51429-E04, A6=-7.39657E-07, A8=2.90565E-07, A10=-9.93471E-09, A12=8.78794E-11
【００９７】
（各種データ）
Ｆ値＝１．６、最大増高＝４．３２ｍｍ、半画角（ω）＝５４°、全系焦点距離＝５．２１７ｍｍ、バックフォーカス（ＢＦ）＝８．１６ｍｍ、レンズ全長（ＴＬ）＝２６．６６ｍｍ、開口絞りの直径＝５．９ｍｍ
【００９８】
（パワー値）
第１のレンズ＝−０．１８１、第２のレンズ＝０．０６３、第３のレンズ＝０．０５６、第４のレンズ＝０．０７９、第１の接合レンズ＝０．１２０、第５のレンズ＝−０．１２４、第６のレンズ＝０．０６１、第２の接合レンズ＝−０．０５３、第７のレンズ＝０．０９５
【００９９】
撮影レンズの条件式（１）〜（５）の値は、条件式（１）＝−７．７４、条件式（２）＝３．６１、条件式（３）＝−２．１７、条件式（４）＝−１．３９、条件式（５）＝３．０８となり、条件式（１）は満たすが、条件式（２）〜（５）は満たさない。
【０１００】
このような数値特性を備える撮影レンズのＭＴＦ特性のブラフを、図１４に示す。図１４に示すように、タンジェンタル方向のＭＴＦ値も、サージタル面方向のＭＴＦ値も、いずれも０．４近辺であり、撮影解像度が低いことを示している。
【０１０１】
以上の実施の形態及び変形例は例示であり、本発明はこれらに限定されるものではなく、特許請求の範囲に記載した発明の趣旨を逸脱しない範囲でさまざまな実施の形態が可能である。各実施の形態や変形例で記載した構成要素は自由に組み合わせることが可能である。また特許請求の範囲に記載した発明と均等な発明も本発明に含まれる。
【産業上の利用可能性】
【０１０２】
本発明に係る撮影レンズは、光学機器などに好適に適用され、光学機器は、車載カメラ、監視カメラ、電子機器、各種の検査機器、ロボットなどに搭載されるカメラ、一眼レフカメラ、コンパクトカメラなどを含む。
【符号の説明】
【０１０３】
Ｌ  光軸
１００，２００，３００  撮像装置
１０１  絞り
１０２  副絞り
１１０，２１０，３１０  撮影レンズ
１１１，２１１  第１のレンズ
１１２  第２のレンズ
１１３，３１３  第３のレンズ
１１４  第４のレンズ
１１５  第５のレンズ
１１６  第６のレンズ
１１７  第７のレンズ
１１８  第１の接合レンズ
１１９  第２の接合レンズ
１２０  光学フィルタ
１３０  撮像素子
Ｐ  像面
【図１】
2019095657.tif 000003
【図２】
2019095657.tif 000004
【図３】
2019095657.tif 000005
【図４】
2019095657.tif 000006
【図５】
2019095657.tif 000007
【図６】
2019095657.tif 000008
【図７】
2019095657.tif 000009
【図８】
2019095657.tif 000010
【図９】
2019095657.tif 000011
【図１０】
2019095657.tif 000012
【図１１】
2019095657.tif 000013
【図１２】
2019095657.tif 000014
【図１３】
2019095657.tif 000015
【図１４】
2019095657.tif 000016